(57)【特許請求の範囲】
【請求項１】
縦方向に形成された貫通孔を有するおもりと、
前記貫通孔に挿入されるバー及び前記バーの一端に形成される支持部で構成されるホルダーと、
締結孔が形成されて前記ホルダーに締結されるキャップとを含み、
前記おもりと前記キャップを互いに異なる方向に回転させて前記ホルダーに締結することを特徴とする釣り用おもりアセンブリー。
【請求項２】
前記おもりの内周面の一側に形成される第１ねじ部と、
前記バーの外周面の一側に形成されて、前記第１ねじ部と締結される第２ねじ部と、
前記バーの外周面の他側に形成される第３ねじ部と、
前記キャップの内周面の一側に形成されて、前記第３ねじ部と締結される第４ねじ部とを含むことを特徴とする請求項１に記載の釣り用おもりアセンブリー。
【請求項３】
前記貫通孔は第１孔と前記第１孔より直径が長く形成される第２孔とで構成されることを特徴とする請求項１に記載の釣り用おもりアセンブリー。
【請求項４】
前記第２ねじ部の直径は前記第３ねじ部の直径より長く形成されることを特徴とする請求項２に記載の釣り用おもりアセンブリー。
【発明の詳細な説明】
【技術分野】
【０００１】
本発明は釣り用おもりアセンブリーに関するものである。
【背景技術】
【０００２】
より詳しくは、おもり及びキャップをホルダーにねじ結合させて安定的に固定することができ、おもりとキャップを互いに異なる方向に回転させてホルダーに締結することにより、おもり及びキャップをホルダーにより堅固に締結することができ、おもり及びキャップが外力によってホルダーから離脱または分離されることを防止することができる釣り用おもりアセンブリーに関するものである。
【０００３】
一般に、釣りをするためには、沈下力を有する釣り用おもり（または釣り棒石）と浮力を有する浮きを水中に入れて沈下力と浮力の均衡を合わせる浮き合わせ作業をする。
【０００４】
これは沈下力と浮力の均衡を利用して魚信をより敏感に感知するためである。
【０００５】
このような釣りの用意に用いられる従来の釣り用おもりは大韓民国登録特許公報第１，３００，７２７号に公開されている。
【０００６】
図１は従来の釣り用おもりを示した分解斜視図である。
【０００７】
図１に示すように、従来の釣り用おもりは、所定の長さを有する棒状の本体１００と、本体１００の一端に固定結合されるおもり３００と、本体１００の側面から挟まれて臨時結合される付加おもり２００とで構成され、本体１００の側面には仕分け突起１０２によっておもりが支持されて、付加おもりが側面から差し込まれる空間が露出され、上記付加おもり２００は中心に通孔が形成され、一側面には放射状の挿入溝が備えられて、上記露出された棒状の本体側面Ｋら容易に差し込まれ、上記通孔には内側の中心方向に突出して形成された少なくとも二つ以上の固定突起２０２が備えられて、上記棒状の本体１００と接する地点を加圧して差し込まれた状態が保持されることを特徴とする。
【０００８】
しかしながら、このような従来の釣り用おもりはおもりと棒状の本体が互いに締結された状態ではないため、水の勢などの外力によっておもりが棒状の本体から上下に移動して魚信の感知が難しいという問題点がある。
【０００９】
また、このような従来の釣り用おもりは水の勢などの外力によって、結合部材が棒状の本体から分離されると、おもりも棒状の本体から離脱しておもりを紛失する虞があるという問題点がある。
【００１０】
また、このような従来の釣り用おもりはそれぞれの部分を組立てるのが複雑で、棒状の本体に小さい結合部材を組立てるのが容易でなく、堅固に締結するのが難しいという問題点がある。
【先行技術文献】
【特許文献】
【００１１】
【特許文献１】韓国特許登録第１３００７２７号
【発明の概要】
【発明が解決しようとする課題】
【００１２】
本発明はおもり及びキャップをホルダーにねじ結合させて安定的に固定することができ、おもりとキャップを互いに異なる方向に回転させてホルダーに締結することにより、おもり及びキャップをホルダーにより堅固に締結することができ、おもり及びキャップが外力によってホルダーから離脱または分離されることを防止することができる釣り用おもりアセンブリーを提供することをその目的とする。
【課題を解決するための手段】
【００１３】
上記のような課題を解決するための本発明の釣り用おもりアセンブリーは、縦方向に形成された貫通孔を有するおもりと、上記貫通孔に挿入されるバー及び上記バーの一端に形成される支持部で構成されるホルダーと、締結孔が形成されて、上記ホルダーに締結されるキャップとを含み、上記おもりと上記キャップを互いに異なる方向に回転させて上記ホルダーに締結することを特徴とする。
【００１４】
また、上記おもりの内周面の一側に形成される第１ねじ部と、上記バーの外周面の一側に形成されて、上記第１ねじ部と締結される第２ねじ部と、上記バーの外周面の他側に形成される第３ねじ部と、上記キャップの内周面の一側に形成されて、上記第３ねじ部と締結される第４ねじ部とを含むことを特徴とする。
【００１５】
また、上記貫通孔は第１孔と上記第１孔より直径が長く形成される第２孔とで構成されることを特徴とする。
【００１６】
また、上記第２ねじ部の直径は上記第３ねじ部の直径より長く形成されることを特徴とする。
【発明の効果】
【００１７】
本発明による釣り用おもりアセンブリーは次のような効果を奏する。
【００１８】
本発明の釣り用おもりアセンブリーはおもりとキャップをホルダーにねじ結合させて安定的に固定することができるので、水勢などの外力によっておもりとキャップがホルダーで動かないという効果を奏する。
【００１９】
本発明の釣り用おもりアセンブリーは、重量が互いに異なるおもりを変えてホルダーに装着して釣り用おもりアセンブリーの重量を容易に調節することができるという効果を奏する。
【００２０】
本発明の釣り用おもりアセンブリーは、おもりとキャップを互いに異なる方向に回転させてホルダーに締結するので、おもり及びキャップをホルダーにより堅固に締結することができるという効果を奏する。
【００２１】
本発明の釣り用おもりアセンブリーは、おもり及びキャップをホルダーに堅固に締結することによって、水勢などの外力によっておもり及びキャップがホルダーから離脱または分離されないという効果を奏する。
【００２２】
本発明の釣り用おもりアセンブリーは、おもりとホルダーとキャップを簡単で、且つ容易に組立てることができるという効果を奏する。
【００２３】
本発明の釣り用おもりアセンブリーは、ホルダーとおもりのねじ結合が解けてもホルダーに締結されたキャップがおもりの離脱を防止して二重締結構造に形成されていて、おもりの紛失を最小化することができるという効果を奏する。
【図面の簡単な説明】
【００２４】
【図１】従来の釣り用おもりを示した分解斜視図である。
【図２】本発明の好ましい実施例による釣り用おもりアセンブリーを示した斜視図である。
【図３】本発明の好ましい実施例による釣り用おもりアセンブリーを示した分解斜視図である。
【図４】本発明の好ましい実施例による釣り用おもりアセンブリーを示した部分断面図である。
【発明を実施するための形態】
【００２５】
以下では図面を参照して本発明の好ましい実施例について詳しく説明する。
【００２６】
図２は本発明の好ましい実施例による釣り用おもりアセンブリー１０００を示した斜視図であり、図３は本発明の好ましい実施例による釣り用おもりアセンブリー１０００を示した分解斜視図であり、図４は本発明の好ましい実施例による釣り用おもりアセンブリー１０００を示した部分断面図である。
【００２７】
図２〜図４に示すように、本発明の好ましい実施例による釣り用おもりアセンブリー１０００は、縦方向に形成された貫通孔４１０を有するおもり４００と、貫通孔４１０に挿入されるバー５１０及びバー５１０の一端に形成される支持部５２０で構成されるホルダー５００と、締結孔６１０が形成されてホルダー５００に締結されるキャップ６００とを含み、おもり４００とキャップ６００を互いに異なる方向に回転させてホルダー５００に締結することを含む。
【００２８】
おもり４００は縦方向に長く形成される。
【００２９】
おもり４００は中央から上部及び下部側に行くほど幅が細くなる流線形に形成される。
【００３０】
おもり４００は後述するホルダー５００に着脱可能で、使用者が所望の重量のおもり４００をホルダー５００に装着することができる。
【００３１】
おもり４００は上端部中央から下端部の中央まで縦方向に長く連結される貫通孔４１０を有する。
【００３２】
貫通孔４１０は後述するホルダー５００のバー５１０が挿入される部分である。
【００３３】
貫通孔４１０は第１孔４１３と第２孔４１４とからなる。
【００３４】
第１孔４１３は貫通孔４１０の中央付近を基準として上部側に形成され、第２孔４１４は貫通孔４１０の中央付近を基準として下部側に形成される。
【００３５】
第１孔４１３と第２孔４１４との間には段差が存在する。
【００３６】
第１孔４１３と第２孔４１４は円形孔で、第１孔４１３の直径が第２孔４１４の直径より短く形成される。
【００３７】
第１孔４１３は第２孔４１４より小さい円形孔である。
【００３８】
第１孔４１３は後述するバー５１０の直径に合わせて形成され、第２孔４１４はバー５１０の直径より長く形成される。
【００３９】
ホルダー５００はおもり４００と後述するキャップ６００が装着される部分で、バー５１０と支持部５２０とからなる。
【００４０】
ホルダー５００には重量が互いに異なるおもり４００を変えて装着して重量を調節することができる。
【００４１】
バー５１０は縦方向に長く形成された円形棒状である。
【００４２】
バー５１０はおもり４００の貫通孔４１０に挿入されて、おもり４００と互いに締結される。
【００４３】
バー５１０の一端には支持部５２０が形成される。
【００４４】
支持部５２０はバー５１０の下端に一体に形成される。
【００４５】
支持部５２０は後述する第２ねじ部５１１の下端に位置する。
【００４６】
支持部５２０は頂部側が切断された二つの円錐をつけた形状で、上部が下部より大きく形成される。
【００４７】
支持部５２０の下端には第１リング５２１が形成される。
【００４８】
第１リング５２１には円形孔が形成されていて、釣り糸（図示しない）や釣り針（図示しない）を連結することができる。
【００４９】
支持部５２０の上端面はおもり４００の下端面と類似する直径で形成される。
【００５０】
これはおもり４００とホルダー５００を締結する時、全体形状が流線形になるようにして、水勢の抵抗をより少なく受けるようにするためである。
【００５１】
ホルダー５００の上部には締結孔６１０が形成されたキャップ６００が締結される。
【００５２】
キャップ６００は中央付近を基準として、上下側に行くほど直径が若干大きく形成される。
【００５３】
キャップ６００の下端部には締結孔６１０が形成される。
【００５４】
締結孔６１０は円形孔で、バー５１０の上部一部が挿入されて締結される部分である。
【００５５】
キャップ６００はホルダー５００に締結される場合、ホルダー５００に締結されたおもり４００と離隔されており、この時、バー５１０の一部は外部に露出されている。
【００５６】
外部に露出されたバー５１０にはＯリング（図示しない）が設置されて、釣り用おもりアセンブリー１０００の重量を微細に調節することができる。
【００５７】
キャップ６００の上端には第２リング６１１が形成される。
【００５８】
第２リング６１１には円形孔が形成されて、釣り糸（図示しない）や釣竿（図示しない）を連結することができる。
【００５９】
キャップ６００の外周面には滑り止め部６２０が形成される。
【００６０】
滑り止め部６２０はキャップ６００の外周面の下部側に形成される。
【００６１】
滑り止め部６２０は指でキャップ６００を取って回転させる時、指がキャップ６００から滑ることを防止する。
【００６２】
滑り止め部６２０は格子状の突起形態に形成される。
【００６３】
ただ、指でキャップ６００を取って回転させる時、指がキャップ６００から滑ることを防止することができれば、格子状でなくても構わない。
【００６４】
おもり４００、ホルダー５００、キャップ６００の材質としては、鉛ではない黄銅またはセラミックスまたはステンレスなどが好ましい。
【００６５】
その理由は、おもり４００、ホルダー５００、キャップ６００の材質が鉛である場合、外部の衝撃によって容易に破損されたり形状が変わるからである。
【００６６】
また、鉛は環境汚染の危険があるため、黄銅またはセラミックスまたはステンレス材質を用いることが好ましい。
【００６７】
おもり４００には第１ねじ部４１１が形成され、バー５１０には第２ねじ部５１１と第３ねじ部５１２が形成され、キャップ６００には第４ねじ部６１２が形成されて、おもり４００とキャップ６００をホルダー５００に装着または分離することができる。
【００６８】
第１ねじ部４１１はおもり４００の内周面の下部側に形成される。
【００６９】
ここで、おもり４００の内周面の下部側とは、第２孔４１４の下部側周面を言う。
【００７０】
第２ねじ部５１１はバー５１０の外周面の下部側に形成される。
【００７１】
第２ねじ部５１１は第１ねじ部４１１と締結される。
【００７２】
第２ねじ部５１１は左ねじの形態に形成されていて、第１ねじ部４１１が形成されているおもり４００をホルダー５００に対して反時計周り方向に回転させるとき第１ねじ部４１１とねじ結合で締結される。
【００７３】
それにより、おもり４００はホルダー５００に装着されて固定され、重量が互いに異なるおもり４００を必要によって変えてホルダー５００に装着することができる。
【００７４】
第３ねじ部５１２はバー５１０の外周面の上部側に形成される。
【００７５】
第４ねじ部６１２はキャップ６００の内周面の下部側に形成される。
【００７６】
ここで、キャップ６００の内周面の下部側とは締結孔６１０の下部側周面を言う。
【００７７】
第４ねじ部６１２は第３ねじ部５１２と締結される。
【００７８】
第３ねじ部５１２は右ねじ形態に形成されていて、第４ねじ部６１２が形成されているキャップ６００をホルダー５００に対して時計周り方向に回転させるとき第４ねじ部６１２とねじ結合で締結される。
【００７９】
それにより、キャップ６００はホルダー５００に装着されて固定される。
【００８０】
本発明の釣り用おもりアセンブリー１０００はホルダー５００とおもり４００のねじ結合が解けてもホルダー５００に締結されたキャップ６００がおもり４００の離脱を防止する二重締結構造に形成されていて、おもり４００の紛失を最小化することができる。
【００８１】
第１ねじ部４１１と第２ねじ部５１１は互いにねじ結合されることができるように互いに対応する形態に形成される。
【００８２】
第３ねじ部５１２と第４ねじ部６１２は互いにねじ結合されることができるように互いに対応する形態に形成される。
【００８３】
第２ねじ部５１１に形成された螺糸山と第３ねじ部５１２に形成された螺糸山は互いに反対形態に形成され、第１ねじ部４１１に形成された螺糸山と第４ねじ部６１２に形成された螺糸山は互いに反対形態に形成される。
【００８４】
第２ねじ部５１１の直径は第３ねじ部５１２の直径より長く形成される。
【００８５】
これは第２ねじ部５１１と第３ねじ部５１２の直径を同一にする場合、第２ねじ部５１１とねじ結合される第１ねじ部４１１の直径も同一にする必要があり、この時、ホルダー５００のバー５１０におもり４００を差し込んで装着するためには第１ねじ部４１１と第３ねじ部５１２をねじ運動させた後、第１ねじ部４１１と第２ねじ部５１１を締結しなければならないため、煩雑であるからである。
【００８６】
また、第２孔４１４が第１孔４１３より大きい円形孔である理由もそのためである。
【００８７】
従って、ホルダー５００はおもり４００の貫通孔４１０内で容易に移動可能であり、簡単におもり４００を締結することができる。
【００８８】
第２ねじ部５１１に形成された螺糸山はバー５１０の外周面から外側に突出するように形成され、第３ねじ部５１２に形成された螺糸山はバー５１０の外周面の外側に突出しないように形成される。
【００８９】
おもり４００の貫通孔４１０にはホルダー５００のバー５１０が挿入され、第１ねじ部４１１の上端に第２ねじ部５１１の下端を位置させた後、おもり４００をホルダー５００に対して反時計周り方向に回転させれば、第１ねじ部４１１と第２ねじ部５１１が互いに締結されて、おもり４００がホルダー５００に装着される。
【００９０】
これと反対に、おもり４００をホルダー５００に対して時計周り方向に回転させれば、おもり４００とホルダー５００は互いに分離可能になる。
【００９１】
キャップ６００の締結孔６１０にはバー５１０の上部一部が挿入され、第３ねじ部５１２の上端に第４ねじ部６１２の下端を位置させた後、キャップ６００をホルダー５００に対して時計周り方向に回転させれば、第３ねじ部５１２と第４ねじ部６１２が互いに締結されて、キャップ６００がホルダー５００に装着される。
【００９２】
これと反対に、キャップ６００をホルダー５００に対して反時計周り方向に回転させると、キャップ６００とホルダー５００は互いに分離可能になる。
【００９３】
上記のように、おもり４００とキャップ６００はホルダー５００に対して互いに異なる方向、即ち互いに反対方向に回転させてこそホルダー５００に締結されることから、おもり４００とキャップ６００を取った状態でおもり４００は反時計周り方向、キャップ６００は時計周り方向に回転させて、おもり４００とキャップをホルダー５００に最大限に堅固に締結させることができる。
【００９４】
それにより、おもり４００とキャップ６００はホルダー５００にねじ結合されて安定的に固定され、水勢などの外力によっておもり４００とキャップ６００がホルダー５００で動かないので、魚信を効果的に感知することができる。
【００９５】
おもり４００とキャップ６００を互いに反対方向に回転させてホルダー５００に締結する理由は、おもり４００とキャップ６００を同じ方向に回転させてホルダー５００に締結する場合、ホルダー５００の支持部５２０を取った状態でおもり４００とキャップ６００を回転させなければならないため、おもり４００とキャップ６００をホルダーに堅固に締結するのに限界があり、おもり４００より大きさの小さい支持部５２０を取っておもり４００とキャップ６００をホルダー５００に締結すること自体が難し.くてこのような構造を有するようにしたのである。
【００９６】
また、おもり４００とキャップ６００を同じ方向に回転させてホルダー５００に締結する場合には、おもり４００とキャップ６００を取ってホルダー５００に締結するのが不可能である。
【００９７】
上述したように、本発明の好ましい実施例を参照して説明したが、該当技術分野において通常の知識を有する者であれば特許請求範囲に記載された本発明の思想及び領域から逸脱しない範囲内で本発明を多様に修正または変形して実施することができる。
【符号の説明】
【００９８】
４００  おもり
４１０  貫通孔  
４１１  第１ねじ部
４１３  第１孔  
４１４  第２孔
５００  ホルダー  
５１０  バー
５１１  第２ねじ部  
５１２  第３ねじ部
５２０  支持部  
５２１  第１リング
６００  キャップ  
６１０  締結孔
６１１  第２リング  
６１２  第４ねじ部
６２０  滑り止め部  
１０００  釣り用おもりアセンブリー
【図１】
0006353526.tif 000002
【図２】
0006353526.tif 000003
【図３】
0006353526.tif 000004
【図４】
0006353526.tif 000005